(57)【要約】【課題】規則的に配置された多数の文字情報を含む編集データを検版する場合であっても、相違箇所を容易に識別可能であり、検版作業の効率を向上することを可能とする検版支援方法、その装置及びそのプログラムを提供する。【解決手段】第１画像１４６又は第２画像１４７を印刷する際の解像度を取得し、取得された前記解像度に応じてブロックＢＫのサイズＳｈ、Ｓｖを決定し、複数のブロックＢＫにより第１及び第２画像データＣ１、Ｃ２の各画像データ領域Ｒ１、Ｒ２を格子状に区画する。ブロックＢＫ毎に第１及び第２画像データＣ１、Ｃ２の一致性を判別し、データが一致しないと判別されたブロックＢＫ毎に第１画像１４６又は第２画像１４７を着色して得られる第１判別画像１３６又は第２判別画像１５２の少なくとも一方の画像を含む判別画像を表示する。【選択図】図５
2011242936.tif 000002
【特許請求の範囲】
【請求項１】
製版過程で作成された第１画像データ及び第２画像データが一致しない箇所を強調した判別画像を所定の表示領域内に表示する検版支援方法であって、
前記第１又は前記第２画像データが表す第１画像又は第２画像を印刷する際の解像度を取得する解像度取得ステップと、
画像データ領域を区画するブロックのサイズを、取得された前記解像度に応じて決定するブロックサイズ決定ステップと、
決定された前記サイズを有する複数の前記ブロックにより前記第１及び前記第２画像データの各画像データ領域を格子状に区画する領域区画ステップと、
区画された前記ブロック毎に前記第１及び前記第２画像データの一致性を判別する一致性判別ステップと、
データが一致しないと判別された前記ブロック毎に前記第１画像又は第２画像を着色して得られる第１判別画像又は第２判別画像の少なくとも一方の画像を含む前記判別画像を表示する第１表示ステップと
を備えることを特徴とする検版支援方法。
【請求項２】
請求項１記載の検版支援方法において、
前記第１表示ステップは、所定の色で着色された前記第１判別画像と、前記所定の色と異なる色で着色された第２判別画像とを、前記所定の表示領域のうちの第１表示領域内に所定の時間間隔で交互に表示する
ことを特徴とする検版支援方法。
【請求項３】
請求項１又は２に記載の検版支援方法において、
前記所定の表示領域のうち前記第１表示領域と重複しない第２表示領域に、前記第１又は前記第２画像のうちいずれか一方の画像を併せて表示する第２表示ステップをさらに備える
ことを特徴とする検版支援方法。
【請求項４】
請求項３記載の検版支援方法において、
入力部の操作に応じて、前記第１及び前記第２表示領域に表示された各画像を連動してスクロール表示するスクロール表示ステップをさらに備える
ことを特徴とする検版支援方法。
【請求項５】
請求項３又は４に記載の検版支援方法において、
入力部の操作に応じて、前記第１及び前記第２表示領域に表示された各画像を連動して拡縮表示する拡縮表示ステップをさらに備える
ことを特徴とする検版支援方法。
【請求項６】
請求項３〜５のいずれか１項に記載の検版支援方法において、
前記第２表示領域に表示された画像に対して注釈情報を付与する注釈情報付与ステップをさらに備える
ことを特徴とする検版支援方法。
【請求項７】
請求項１〜６のいずれか１項に記載の検版支援方法において、
周期的に配列される各前記ブロックと前記画像データ領域との位置関係を決定するブロック位置決定ステップをさらに備える
ことを特徴とする検版支援方法。
【請求項８】
請求項１〜７のいずれか１項に記載の検版支援方法において、
前記ブロックサイズ決定ステップは、前記第１又は前記第２画像データが文字を表す画像データを有する場合、前記文字のサイズ情報及び前記解像度に応じて前記ブロックのサイズを決定する
ことを特徴とする検版支援方法。
【請求項９】
請求項７又は８に記載の検版支援方法において、
前記ブロック位置決定ステップは、前記第１又は前記第２画像データが文字を表す画像データを有する場合、前記文字の間隔又は方向に応じて前記位置関係を決定する
ことを特徴とする検版支援方法。
【請求項１０】
請求項１〜９のいずれか１項に記載の検版支援方法において、
データが一致しないと判別された前記ブロック内の全画素に対して、所定の値を加算又は減算する色変換処理を施すことで、前記判別画像を表示するための判別画像データを作成する判別画像データ作成ステップをさらに備える
ことを特徴とする検版支援方法。
【請求項１１】
請求項１〜１０のいずれか１項に記載の検版支援方法において、
前記ブロックサイズ決定ステップは、前記解像度によらず前記ブロックの印刷サイズが同一になるように該ブロックのサイズを決定する
ことを特徴とする検版支援方法。
【請求項１２】
製版過程で作成された第１画像データ及び第２画像データが一致しない箇所を強調した判別画像を所定の表示領域内に表示する検版支援装置であって、
前記第１又は前記第２画像データが表す第１画像又は第２画像を印刷する際の解像度を取得する解像度取得部と、
画像データ領域を区画するブロックのサイズを、前記解像度取得部により取得された前記解像度に応じて決定するブロックサイズ決定部と、
前記ブロックサイズ決定部により決定された前記サイズを有する複数の前記ブロックにより前記第１及び前記第２画像データの各画像データ領域を格子状に区画する領域区画部と、
前記領域区画部により区画された前記ブロック毎に前記第１及び前記第２画像データの一致性を判別する画像一致性判別部と、
前記画像一致性判別部によりデータが一致しないと判別された前記ブロック毎に前記第１画像又は第２画像を着色して得られる第１判別画像又は第２判別画像の少なくとも一方の画像を含む前記判別画像を表示する表示部と
を有することを特徴とする検版支援装置。
【請求項１３】
製版過程で作成された第１画像データ及び第２画像データが一致しない箇所を強調した判別画像を所定の表示領域内に表示させるためコンピュータを、
前記第１又は前記第２画像データが表す第１画像又は第２画像を印刷する際の解像度を取得する手段、
画像データ領域を区画するブロックのサイズを、取得された前記解像度に応じて決定する手段、
決定された前記サイズを有する複数の前記ブロックにより前記第１及び前記第２画像データの各画像データ領域を格子状に区画する手段、
区画された前記ブロック毎に前記第１及び前記第２画像データの一致性を判別する手段、
データが一致しないと判別された前記ブロック毎に前記第１画像又は第２画像を着色して得られる第１判別画像又は第２判別画像の少なくとも一方の画像を含む前記判別画像を表示させる手段
として機能させることを特徴とする検版支援プログラム。
【発明の詳細な説明】
【技術分野】
【０００１】
この発明は、製版過程で作成された第１画像データ及び第２画像データが一致しない箇所を強調した判別画像を所定の表示領域内に表示する検版支援方法、その装置及びそのプログラムに関する。
【背景技術】
【０００２】
近時、印刷製版の分野において、例えば初校時の印刷物と再校時の印刷物とを直接的に比較観察するような従来の検版方式ではなく、その出力過程で生成される中間物としての画像データ同士を様々な処理過程で比較演算することで、電子的に検版を行う検版支援ツールが普及しつつある。初校時の画像データと再校時（あるいは修整中）の画像データとを比較することにより、作業者の作業ミスに伴う修整誤り、修整忘れ、不要な修整等の有無を自動的に検査することができる。特に、検版の作業者に注意を喚起させるため、画像データ間の相違箇所を強調して可視化する画像処理技術が種々提案されている。
【０００３】
例えば、特許文献１には、第１画像と第２画像とを表示画面上であおり表示（画像を交互に表示）する装置が開示されている。これにより、校正刷りを用いた従前の「あおり検版」に代替して、ディスプレイ上で検版作業を実施できる旨が記載されている。
【０００４】
また、特許文献２には、初校と再校との一致箇所を視覚的に低濃度の画像で表現するとともに、相違箇所を初校又は再校のままの画像で表現し、その合成画像を出力させる装置が開示されている。
【０００５】
さらに、特許文献３には、初校と再校とのそれぞれの相違箇所のうち、その相違内容の確認が完了した領域を、所定の色の塗り潰しマスクで覆う差異枠画像を表示させる装置が開示されている。
【０００６】
さらにまた、特許文献４には、初校、再校及び比較結果画像のそれぞれの部分拡大画像をディスプレイの画面上のウィンドウに表示させる装置が開示されている。
【０００７】
すなわち、特許文献１〜４に記載された装置及び方法によれば、画像同士の相違箇所を囲繞する実線又は破線からなる矩形状の線枠を検査画像（あるいは比較結果画像）上に併せて出力することで、前記相違箇所を示唆する旨が記載されている。
【先行技術文献】
【特許文献】
【０００８】
【特許文献１】特開２０１０−３３３５０号公報
【特許文献２】特開２０００−２９１９６号公報
【特許文献３】特開２０００−２９１９７号公報
【特許文献４】特開２０００−２９１９８号公報
【発明の概要】
【発明が解決しようとする課題】
【０００９】
ところで、新聞や雑誌等のように多数の文字情報が含まれる印刷媒体には、読者にとって文字を読み易くするため、所定の書式に従って各文字が規則的に配列されている。すなわち、所定の段組みの下で、統一された書字方向、文字間隔、行間隔、フォントサイズを用いた文字が配列される、という印刷画像上の特徴を備える。
【００１０】
また、前記印刷媒体の製版に用いる編集データを校正・検版する場面において、文字情報を修整する目的は、タイプ・変換ミス等の誤記のみならず、最新情報への更新、記事の差し替え等のように多岐にわたる。すなわち、このような編集データの修整箇所は複数の位置に無作為に発生する、という検版作業上の特徴を備える。
【００１１】
このような規則的に配置された多数の文字情報を含む編集データを検版する場合、特許文献１〜４に開示された装置及び方法を適用すると以下の不都合があった。
【００１２】
例えば、複数個の相違箇所が各画像データ上に近接して存在する場合、複数の枠線が重ねて形成されるので、それぞれの枠線により囲繞された領域内から文字の形状の差異を認識し、編集データの修整内容を特定する作業時間を要するという不都合を生じていた。特に、編集データの解像度が低い場合、複数の文字を跨ぐように１個又は複数の枠線が形成されると、編集データの修整内容を特定することは容易でない。その結果、上記編集データに対する検版作業の効率が向上しないという問題が顕在化する。
【００１３】
本発明はこのような課題を考慮してなされたものであり、規則的に配置された多数の文字情報を含む編集データを検版する場合であっても、相違箇所を容易に識別可能であり、検版作業の効率を向上することができる検版支援方法、その装置及びそのプログラムを提供することを目的とする。
【課題を解決するための手段】
【００１４】
本発明は、製版過程で作成された第１画像データ及び第２画像データが一致しない箇所を強調した判別画像を所定の表示領域内に表示する検版支援方法に関する。
【００１５】
そして、前記第１又は前記第２画像データが表す第１画像又は第２画像を印刷する際の解像度を取得する解像度取得ステップと、画像データ領域を区画するブロックのサイズを、取得された前記解像度に応じて決定するブロックサイズ決定ステップと、決定された前記サイズを有する複数の前記ブロックにより前記第１及び前記第２画像データの各画像データ領域を格子状に区画する領域区画ステップと、区画された前記ブロック毎に前記第１及び前記第２画像データの一致性を判別する一致性判別ステップと、データが一致しないと判別された前記ブロック毎に前記第１画像又は第２画像を着色して得られる第１判別画像又は第２判別画像の少なくとも一方の画像を含む前記判別画像を表示する第１表示ステップとを備えることを特徴とする。
【００１６】
このように、第１画像又は第２画像を印刷する際の解像度を取得する解像度取得ステップと、取得された前記解像度に応じて前記ブロックのサイズを決定するブロックサイズ決定ステップと、決定された前記サイズを有する前記ブロックにより画像データ領域を格子状に区画する領域区画ステップとを設けたので、データの一致性を判別する実際の画像上のサイズを適切に設定可能である。また、データが一致しないと判別された前記ブロック毎に前記第１画像又は第２画像を着色して得られる第１判別画像又は第２判別画像の少なくとも一方の画像を含む前記判別画像を表示する第１表示ステップを設けたのでので、文字情報の相違箇所が文字の配列に沿って適切に強調される。これにより、規則的に配置された多数の文字情報を含む編集データを検版する場合であっても、相違箇所を容易に識別可能であり、検版作業の効率を向上することができる。
【００１７】
また、所定の色で着色された前記第１判別画像と、前記所定の色と異なる色で着色された第２判別画像とを、前記所定の表示領域のうちの第１表示領域内に所定の時間間隔で交互に表示する第１表示ステップをさらに備えることが好ましい。
【００１８】
さらに、前記所定の表示領域のうち前記第１表示領域と重複しない第２表示領域に、前記第１又は前記第２画像のうちいずれか一方の画像を併せて表示する第２表示ステップをさらに備えることが好ましい。
【００１９】
さらに、入力部の操作に応じて、前記第１及び前記第２表示領域に表示された各画像を連動してスクロール表示するスクロール表示ステップをさらに備えることが好ましい。
【００２０】
さらに、入力部の操作に応じて、前記第１及び前記第２表示領域に表示された各画像を連動して拡縮表示する拡縮表示ステップをさらに備えることが好ましい。
【００２１】
さらに、前記第２表示領域に表示された画像に対して注釈情報を付与する注釈情報付与ステップをさらに備えることが好ましい。
【００２２】
さらに、周期的に配列される各前記ブロックと前記画像データ領域との位置関係を決定するブロック位置決定ステップをさらに備えることが好ましい。
【００２３】
さらに、前記ブロックサイズ決定ステップは、前記第１又は前記第２画像データが文字を表す画像データを有する場合、前記文字のサイズ情報及び前記解像度に応じて前記ブロックのサイズを決定することが好ましい。
【００２４】
さらに、前記ブロック位置決定ステップは、前記第１又は前記第２画像データが文字を表す画像データを有する場合、前記文字の間隔又は方向に応じて前記位置関係を決定することが好ましい。
【００２５】
さらに、データが一致しないと判別された前記ブロック内の全画素に対して、所定の値を加算又は減算する色変換処理を施すことで、前記判別画像を表示するための判別画像データを作成する判別画像データ作成ステップをさらに備えることが好ましい。
【００２６】
さらに、前記ブロックサイズ決定ステップは、前記解像度によらず前記ブロックの印刷サイズが同一になるように該ブロックのサイズを決定することが好ましい。
【００２７】
本発明は、製版過程で作成された第１画像データ及び第２画像データが一致しない箇所を強調した判別画像を所定の表示領域内に表示する検版支援装置に関する。そして、前記第１又は前記第２画像データが表す第１画像又は第２画像を印刷する際の解像度を取得する解像度取得部と、画像データ領域を区画するブロックのサイズを、前記解像度取得部により取得された前記解像度に応じて決定するブロックサイズ決定部と、前記ブロックサイズ決定部により決定された前記サイズを有する複数の前記ブロックにより前記第１及び前記第２画像データの各画像データ領域を格子状に区画する領域区画部と、前記領域区画部により区画された前記ブロック毎に前記第１及び前記第２画像データの一致性を判別する画像一致性判別部と、前記画像一致性判別部によりデータが一致しないと判別された前記ブロック毎に前記第１画像又は第２画像を着色して得られる第１判別画像又は第２判別画像の少なくとも一方の画像を含む前記判別画像を表示する表示部とを有することを特徴とする。
【００２８】
本発明は、製版過程で作成された第１画像データ及び第２画像データが一致しない箇所を強調した判別画像を所定の表示領域内に表示させるための検版支援プログラムに関する。そして、コンピュータに、前記第１又は前記第２画像データが表す第１画像又は第２画像を印刷する際の解像度を取得する手段、画像データ領域を区画するブロックのサイズを、取得された前記解像度に応じて決定する手段、決定された前記サイズを有する複数の前記ブロックにより前記第１及び前記第２画像データの各画像データ領域を格子状に区画する手段、区画された前記ブロック毎に前記第１及び前記第２画像データの一致性を判別する手段、データが一致しないと判別された前記ブロック毎に前記第１画像又は第２画像を着色して得られる第１判別画像又は第２判別画像の少なくとも一方の画像を含む前記判別画像を表示させる手段として機能させることを特徴とする。
【発明の効果】
【００２９】
本発明に係る検版支援方法、その方法及びそのプログラムによれば、第１又は第２画像データが表す第１画像又は第２画像を印刷する際の解像度を取得し、画像データ領域を区画するブロックのサイズを、取得された前記解像度に応じて決定し、決定された前記サイズを有する複数の前記ブロックにより前記第１及び前記第２画像データの各画像データ領域を格子状に区画し、区画された前記ブロック毎に前記第１及び前記第２画像データの一致性を判別し、データが一致しないと判別された前記ブロック毎に前記第１画像又は第２画像を着色して得られる第１判別画像又は第２判別画像の少なくとも一方の画像を含む判別画像を表示するようにしたので、データの一致性を判別する実際の画像上のサイズを適切に設定可能であるとともに、文字情報の相違箇所が文字の配列に沿って適切に強調される。これにより、規則的に配置された多数の文字情報を含む編集データを検版する場合であっても、相違箇所を容易に識別可能であり、検版作業の効率を向上することができる。
【図面の簡単な説明】
【００３０】
【図１】本実施の形態に係る検版支援装置が組み込まれた印刷システムの概略説明図である。
【図２】図１の画像処理装置の機能ブロック図である。
【図３】図１の印刷システムを用いた印刷工程のフローチャートである。
【図４】画像表示の初期設定画面の一例である。
【図５】第１及び第２判別画像データを作成するためのフローチャートである。
【図６】画像データ領域と各ブロックとの位置関係を表す概略説明図である。
【図７】検版支援表示画面の第１態様を表す図である。
【図８】検版支援表示画面の第２態様を表す図である。
【図９】検版支援表示画面の第３態様を表す図である。
【図１０】検版支援表示画面の第４態様を表す図である。
【図１１】図１１Ａ及び図１１Ｂは、画像データ領域と各ブロックとの位置関係を表す概略説明図である。
【図１２】図１２Ａ〜図１２Ｃは、ブロックの着色例の一部拡大図である。
【図１３】検版支援表示画面の第５態様を表す図である。
【発明を実施するための形態】
【００３１】
以下、本発明に係る検版支援方法についてそれを実施する検版支援装置並びに印刷システムとの関係において好適な実施形態を挙げ、添付の図面を参照しながら詳細に説明する。
【００３２】
図１は、本実施の形態に係る検版支援装置としての画像処理装置２０が組み込まれた印刷システム１０の概略説明図である。
【００３３】
印刷システム１０は、製版サイト１２と、印刷サイト１４と、データベースサーバ１６と、ＬＡＮ１８とを基本的に備える。製版サイト１２は、画像処理装置２０（検版支援装置）と、校正機２２とを備える。
【００３４】
画像処理装置２０は、文字、図形、絵柄や写真等から構成されるカラー画像の配置をページ毎に編集が自在であり、ページ記述言語（以下、ＰＤＬという。）による製版データあるいは編集工程下の編集データ、例えば、４色（ＣＭＹＫ）や３色（ＲＧＢ）のカラーチャンネルからなるＰＤＬデータを生成する。
【００３５】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３６】
画像処理装置２０は、ＰＤＬ形式の編集データに対して所望の画像処理、例えば、色変換処理や配置処理等を行い、ラスタ形式の画像データ（例えば、ビットマップやＴＩＦＦ；以下、ラスタ画像データという場合がある。）に展開し、校正機２２の印刷方式に適した印刷制御信号に変換し、前記校正機２２に前記印刷制御信号を送信する各機能を有している。
【００３７】
画像処理装置２０は、編集中の画像データ同士を比較検査し、相違箇所を強調して可視化するための判別画像を表示させることで、作業者に対して検版支援を行うことができる。以下、この表示態様を「検版支援表示」という場合がある。
【００３８】
画像処理装置２０は、本体２６と、表示部２８と、入力部３０（キーボード３２及びマウス３４）とを備える。ポインティングデバイスとしてのマウス３４に代替し、トラックパッドやトラックボールを用いてもよい。
【００３９】
校正機２２は、編集データ（面付けデータ）を校正するための校正刷り２４を得る出力装置である。校正機２２として、オフセット印刷機と同等の印刷性能を備えるＤＤＣＰ（Ｄｉｒｅｃｔ  Ｄｉｇｉｔａｌ  Ｃｏｌｏｒ  Ｐｒｏｏｆｅｒ）、インクジェットカラープルーファ、低解像度のカラーレーザプリンタ（電子写真方式）やインクジェットプリンタ等が用いられる。
【００４０】
データベースサーバ１６は、校正作業が完了した製版データファイル（例えば、ＴＩＦＦファイル、ＰＤＦファイル等）やジョブチケット｛例えば、ＪＤＦ（Ｊｏｂ  Ｄｉｆｉｎｉｔｉｏｎ  Ｆｏｒｍａｔ）ファイル｝の保存や管理等を行うためのサーバである。
【００４１】
ＬＡＮ１８は、イーサネット（登録商標）等の通信規格に基づいて構築されているネットワークである。製版サイト１２と、印刷サイト１４と、データベースサーバ１６とは相互に接続されている。製版サイト１２と印刷サイト１４とは異なる作業場に設けられているので、製版サイト１２内での製版工程と印刷サイト１４内での印刷工程とがＬＡＮ１８を介して行われる。
【００４２】
印刷サイト１４は、データベースサーバ１６から取得した製版データファイルに対して所望の画像処理を行う画像処理装置、刷版を作成するためのプレートセッタ、所望のカラー画像を各種メディアに印刷するオフセット印刷機やデジタル印刷機等を備えている。
【００４３】
図２は、図１の画像処理装置２０の機能ブロック図である。
【００４４】
本体２６は、Ｉ／Ｆ３６と、入稿データ編集部３８と、ＲＩＰ・拡縮処理部４０（ラスタイメージングプロセッサ）と、制御部４２と、表示制御部４４と、Ｉ／Ｆ４６と、印刷制御部４８と、Ｉ／Ｆ５０と、メモリ５２と、検版処理部５４とを備えている。
【００４５】
入稿データ編集部３８は、１つ又は複数の入稿データファイルを編集することで、ページ単位の編集データファイルを作成自在である。例えば、配置、色調整、面付け等の編集処理を行う。また、校正印刷の結果を踏まえて、編集データの修整処理を行うこともできる。
【００４６】
ＲＩＰ・拡縮処理部４０は、ＰＤＬ形式の編集データファイルをラスタ画像データに展開する。また、ラスタ画像データに対して任意の画像倍率で拡縮処理（拡大処理又は縮小処理）を行うこともできる。
【００４７】
制御部４２は、ＣＰＵ等のプロセッサによって構成されてよい。制御部４２は、ＲＩＰ・拡縮処理部４０、表示制御部４４、検版処理部５４等の本体２６の各部を制御する。
【００４８】
表示制御部４４は、制御部４２の制御に従って、表示部２８を駆動制御する制御回路である。表示制御部４４が表示制御信号をＩ／Ｆ４６を介して表示部２８に出力することで、表示部２８が駆動する。これにより、表示部２８は、画像を表示することができる。
【００４９】
印刷制御部４８は、制御部４２の制御に従って、校正機２２を駆動制御する制御回路である。印刷制御部４８が印刷制御信号をＩ／Ｆ５０を介して校正機２２に出力することで、校正機２２が駆動する。これにより、校正機２２は、校正刷り２４を印刷することができる。
【００５０】
メモリ５２は、制御部４２が各部を制御するのに必要なプログラム及びデータ（例えば、検版処理部５４の処理に必要なデータ）や編集データファイル等を記憶している。メモリ５２は、不揮発性のメモリ、ハードディスク等の記録媒体であってよい。
【００５１】
検版処理部５４は、解像度取得部５６と、領域区画部５８と、画像比較部６０と、画像一致性判別部６２と、判別画像データ作成部６４と、表示色決定部６６と、アノテーション処理部６８とをさらに備える。
【００５２】
解像度取得部５６は、編集データが表す画像を印刷する際の解像度（以下、単に解像度という場合がある。）を取得する。例えば、編集データに付帯するタグ情報から自動的に取得可能である。
【００５３】
領域区画部５８は、比較検査しようとする画像データ領域Ｒ１、Ｒ２をブロックＢＫ（図６参照）毎にそれぞれ区画する。そして、領域区画部５８は、解像度に応じてブロックＢＫのサイズＳｈ、Ｓｖ（図６参照）を決定するブロックサイズ決定部７０と、画像データ領域Ｒ１、Ｒ２上でのブロックＢＫの相対的位置関係を表すシフト量を決定するブロックシフト量決定部７２とを備える。
【００５４】
画像比較部６０は、２つのラスタ画像データ（例えば、製版過程で作成された第１画像データＣ１及び第２画像データＣ２）をブロックＢＫ毎に比較・評価する。画像一致性判別部６２は、ブロックＢＫ毎の比較結果に基づいて、第１画像データＣ１及び第２画像データＣ２の一致性を前記ブロックＢＫ毎に判別する。
【００５５】
判別画像データ作成部６４は、第１画像データＣ１及び第２画像データＣ２が一致しない箇所を強調した判別画像を表示するための判別画像データを作成する。判別画像データには、後述する第１判別画像データＤ１又は第２判別画像データＤ２の少なくとも一方が含まれる。
【００５６】
表示色決定部６６は、画像を着色表示する際の各色を決定する。そして、表示色決定部６６は、データが一致すると判断されたブロックＢＫでの表示色を決定する一致表示色決定部７４と、データが一致しないと判断されたブロックＢＫでの表示色を決定する不一致表示色決定部７６とを備える。
【００５７】
入力部３０は、検版支援表示の際の各種設定値を入力する表示設定値入力部８０と、判別画像等を表示する範囲やサイズを調整する表示調整部８２と、表示画像に対して注釈情報を付与する注釈情報付与部８４とを備える。
【００５８】
本実施の形態に係る画像処理装置２０は以上のように構成され、上述した各画像処理機能は、基本プログラム（オペレーティングシステム）上で動作する、メモリ５２に格納された応用プログラムを用いて実現することができる。
【００５９】
この実施形態に係る印刷システム１０は、基本的には以上のように構成されるものであり、次にその動作について図３のフローチャート及び図２の機能ブロック図を参照しながら説明する。
【００６０】
製版サイト１２（図１参照）内での作業工程は、ステップＳ１〜Ｓ１０から構成されている。本実施の形態では、特に検版工程を中心に説明する。
【００６１】
先ず、作業者は、原稿データの入稿及び編集作業を行う（ステップＳ１）。図２に示すように、クライアントによる入稿指示に従って、図示しない端末装置は、ＬＡＮ１８を介して、所望の入稿データファイルを画像処理装置２０側に供給する。そして、画像処理装置２０は、Ｉ／Ｆ３６を介して入稿データファイルを取得し、該入稿データファイルをメモリ５２内に一旦記憶する。
【００６２】
そして、作業者の編集作業に応じて、入稿データ編集部３８は、１つ又は複数の入稿ファイルデータを用いて、配置、色調整等の編集処理を行い、ページ単位の編集データを作成する。そして、入稿データ編集部３８は、指定された綴じ方法や紙折り方法に応じてページ単位で面付けを行う。その後、編集データの作成が終了した旨の通知を受け、メモリ５２は、前記入稿データ編集部３８により作成した編集データを、編集データファイルとして記憶する。
【００６３】
次いで、作業者は、編集データの種類や作業者の嗜好等に応じて、検版作業の表示設定を行う（ステップＳ２）。表示制御部４４は、作業者による表示設定の要求操作に応じて、図４に示す設定画面１００を表示部２８に表示させる。
【００６４】
設定画面１００には、２個のテキストボックス１０２、１０４と、２個の色選択メニュー１０６、１０８と、テキストボックス１１０と、プルダウンメニュー１１２と、「キャンセル（Ｃ）」、「ＯＫ（Ｏ）」とそれぞれ表示されたボタン１１４、１１６とが設けられている。
【００６５】
表示設定値入力部８０は、マウス３４でのボタン１１６のクリック操作に応じて、検版支援表示のための初期設定データを本体２６側に入力する。ここで、テキストボックス１０２、１０４の入力情報は、後述するブロックＢＫのサイズＳｈ、Ｓｖ（図６参照）に相当する。色選択メニュー１０６からの入力情報は、画像データ領域Ｒ１（図６参照）上でのブロックＢＫの色（図７の第１着色領域１４２、１４４）に相当する。色選択メニュー１０８からの入力情報は、画像データ領域Ｒ２（図６参照）上でのブロックＢＫの色（図８の第２着色領域１５８、１６０）に相当する。テキストボックス１１０からの入力情報は、後述するあおり表示の時間間隔（切替周期）に相当する。プルダウンメニュー１１２からの入力情報は、比較された画像データ同士の一致部での表示効果の種別に相当する。
【００６６】
次いで、図３に戻って、作業者は、編集データに基づいて校正印刷を行う（ステップＳ３）。
【００６７】
図２に示すＲＩＰ・拡縮処理部４０は、印刷指示を受けて、メモリ５２から取得した編集データ（ＰＤＬ形式）をラスタ画像データに展開する。そして、印刷制御部４８は、展開されたラスタ画像データを印刷制御信号に変換する。そして、校正機２２は、Ｉ／Ｆ５０を介して印刷制御信号を取得し、該印刷制御信号に基づいて図示しないメディア上にカラー印刷することで、校正刷り２４を得る。このとき、印刷サイト１４での印刷色に一致するように、公知のカラーマッチング技術を用いて校正刷り２４の色を調整してもよい。
【００６８】
次いで、作業者は、校正刷り２４を目視し、修整箇所がないか否かを確認する（ステップＳ４）。修整箇所が発見された場合、作業者は、例えば、校正刷り２４上に修整箇所及び修整内容を記入する。そして、校正印刷時の編集データを取得し（ステップＳ５）、必要に応じて前記編集データを修整する（ステップＳ６）。入稿データ編集部３８は、作業者の変更指示に応じて、編集データファイルの内容を変更する。なお、作業者は、修整箇所が記入された校正刷り２４を参照しながら、すべての箇所が正しい内容で修整されたか否かを確認してもよい。
【００６９】
次いで、作業者は、すべての修整が完了したものと判断し、最終データを保存する（ステップＳ７）。メモリ５２は、この最終データを新たな編集データファイルとして記憶する。
【００７０】
次いで、作業者は、表示画面上での検版作業を行う（ステップＳ８）。
【００７１】
本実施の形態では、校正時の編集データ（ステップＳ５参照）をラスタ形式に展開した第１画像データＣ１と、修整済みの最終データ（ステップＳ７参照）をラスタ形式に展開した第２画像データＣ２とを比較検査する。そして、画像処理装置２０は、第１画像データＣ１及び第２画像データＣ２が一致しない箇所を強調した判別画像を表示する。さらに、前記判別画像として、第１画像（第１画像データＣ１が表す画像）に着色して得られる第１判別画像と、第２画像（第２画像データＣ２が表す画像）に着色して得られる第２判別画像とを用いる。これらの機能を実現するため、画像処理装置２０は以下の動作を行う。
【００７２】
先ず、図２に示す検版処理部５４は、検版支援表示をするための判別画像データを作成する。第１判別画像を表示するための第１判別データＤ１、及び第２判別画像を表示するための第２判別データＤ２の作成方法について、図５のフローチャートを用いて詳細に説明する。
【００７３】
先ず、比較しようとする画像データを取得する（ステップＳ８１）。ＲＩＰ・拡縮処理部４０は、メモリ５２に既に記憶されている編集データ（ＰＤＬ形式）をラスタ形式に展開し、第１画像データＣ１、第２画像データＣ２を得る。
【００７４】
次いで、ブロックＢＫのサイズＳｈ、Ｓｖを決定する（ステップＳ８２）。ブロックＢＫとは、画像データ領域Ｒ１、Ｒ２を区画する単位領域である。
【００７５】
ブロックＢＫのサイズＳｈ、Ｓｖの決定に先立ち、解像度取得部５６は、第１画像又は第２画像を印刷する際の解像度を取得する。編集データファイルのタグ情報を参照してもよいし、該編集データファイルに紐付けられた出力情報を参照してもよい。
【００７６】
ブロックサイズ決定部７０は、解像度取得部５６から取得した解像度に基づき、ブロックＢＫのサイズＳｈ、Ｓｖを決定する。ここで、サイズＳｈは横方向の画素数であり、サイズＳｖは縦方向の画素数である。例えば、５ｍｍと設定すると、解像度が３００ｄｐｉ（ｄｏｔ  ｐｅｒ  ｉｎｃｈ）の場合は約６０画素、解像度が６００ｄｐｉの場合は約１２０画素に相当する。このように、各ブロックＢＫの印刷サイズが解像度によらず同一になるようにすれば、実寸の画像領域との対応付けが容易であり、検査効率が向上する。
【００７７】
なお、サイズＳｈ、Ｓｖは同一の値であっても異なる値であってもよい。つまり、ブロックＢＫの形状は、正方形であっても長方形であってもよい。
【００７８】
次いで、画像データ領域Ｒ１、Ｒ２をブロックＢＫ毎にそれぞれ区画する（ステップＳ８３）。
【００７９】
図６に示すように、第１画像データＣ１の画像データ領域Ｒ１は、二次元格子状に配列された複数の画素Ｐの位置にそれぞれ対応付けられている。第２画像データＣ２の画像データ領域Ｒ２についても同様である。例えば、縦方向のブロックＢＫの配列数をＭ個、横方向のブロックＢＫの配列数をＮ個とする。その結果、画像データ領域Ｒ１、Ｒ２は、Ｍ・Ｎ個の各領域に区画される。以下、各ブロックＢＫを特定するために、必要に応じて、ブロックＢＫ（１）〜ＢＫ（Ｍ・Ｎ）と表記する場合がある。
【００８０】
図６の例では、サイズＳｈ、Ｓｖはいずれも４であり、１つのブロックＢＫで区画された領域には、１６画素（４×４画素）が含まれている。このように、領域区画部５８は、画像データ領域Ｒ１、Ｒ２をブロックＢＫ毎にそれぞれ区画する（ステップＳ８３）。
【００８１】
あわせて、制御部４２は、画像データ領域Ｒ１、Ｒ２と同じデータ量のメモリ領域（画像データ領域Ｒ３、Ｒ４）をメモリ５２から確保しておく。
【００８２】
次いで、図５に戻って、カウンタｉを初期化する（ステップＳ８４）。ここで、ｉは、ブロックＢＫ（ｉ）の添字を表し、ｉは、１〜Ｍ・Ｎの整数値を採り得る。
【００８３】
次いで、ｉ番目のブロック内での画素値を比較する（ステップＳ８５）。ここで、第１画像データＣ１が複数のカラーチャンネルを有する場合は、カラーチャンネル毎に各画素値を比較する。例えば、ＲＧＢデータの場合は、Ｒ、Ｇ及びＢについて各画素値を比較する。
【００８４】
次いで、ｉ番目のブロックＢＫ（ｉ）についてデータの一致性を判別する（ステップＳ８６）。ここで、データの一致とは、ブロックＢＫ（ｉ）内のすべての画素値が完全に一致する場合に限らず、一致する画素数の割合で判別してもよい。また、画素値が完全に一致する場合に限られず、画素値の差分が許容範囲に収まるか否かで判別してもよい。
【００８５】
次いで、データが一致すると判別された場合は、第１画像データＣ１に対して薄色処理を行うとともに（ステップ８７）、第２画像データＣ２に対して薄色処理を行う（ステップ８８）。不一致表示色決定部７６は、プルダウンメニュー１１２（図４参照）で選択された方式に従って、着色方法を予め決定しておく。
【００８６】
そして、判別画像データ作成部６４は、不一致表示色決定部７６から取得した着色方法を用いて、第１画像データＣ１及び第２画像データＣ２に対して色変換処理を施す。
【００８７】
この色変換処理のアルゴリズムの種類は問わず、例えば、ブロックＢＫ（ｉ）内のすべての画素に対して、所定の値を一律に加算又は減算する色変換処理を施すことで、色を薄くしてもよい。これにより、演算処理の高速化が図れる。
【００８８】
また、プルダウンメニュー１１２（図４参照）で「そのままの色で表示」なる選択項目を設けて、色変換処理を行わないようにしてもよい。
【００８９】
一方、データが一致しないと判別された場合は、第１画像データＣ１に対して第１色で着色処理を行うとともに（ステップ８９）、第２画像データＣ２に対して第２色で着色処理を行う（ステップＳ９０）。一致表示色決定部７４は、色選択メニュー１０６（図４参照）で選択された色を第１色として予め決定しておくとともに、色選択メニュー１０８（図４参照）で選択された色を第２色として予め決定しておく。
【００９０】
そして、判別画像データ作成部６４は、一致表示色決定部７４から取得した第１色に着色するように、第１画像データＣ１に対して色変換処理を施す。また、判別画像データ作成部６４は、一致表示色決定部７４から取得した第２色に着色するように、第２画像データＣ２に対して色変換処理を施す。
【００９１】
これらの色変換処理のアルゴリズムの種類は問わず、例えば、ブロックＢＫ（ｉ）内のすべての画素に対して、所定の値を一律に加算又は減算する色変換処理を施すことで、着色してもよい。これにより、演算処理の高速化が図れる。
【００９２】
両者の差異を強調するために、第１色と第２色との色差が大きいことが好ましい。例えば、第１色を緑色、第２色を赤色に設定してもよい。また、第１色及び第２色として彩度が高い色を用いることで、さらに視認性が向上する。あるいは、編集データの内容（例えば、背景色）に応じて、第１色及び第２色を適宜変更してもよい。
【００９３】
次いで、図５に戻って、ステップＳ８７〜Ｓ９０で処理した画像データをメモリ５２に格納する（ステップＳ９１）。判別画像データ作成部６４は、画像データ領域Ｒ３内のブロックＢＫ（ｉ）に応じた領域に、色変換処理後の第１画像データをそれぞれ格納する。また、判別画像データ作成部６４は、画像データ領域Ｒ４内のブロックＢＫ（ｉ）に応じた領域に、色変換処理後の第２画像データをそれぞれ格納する。
【００９４】
次いで、カウンタｉとブロックＢＫの総数Ｍ・Ｎとの大小関係を比較する（ステップＳ９２）。すなわち、区画された全ブロックＢＫについてデータの比較を行ったか否かを判別する。ｉ＜Ｍ・Ｎの場合は、カウンタｉを１だけ加算した後（ステップＳ９３）、ステップＳ８５に戻って、ステップＳ８５〜９３を繰り返す。ｉ≧Ｍ・Ｎの場合は、全ブロックＢＫについてデータの比較を行ったものとして比較処理を終了する。
【００９５】
このようにして、判別画像データ作成部６４は、第１判別画像データＤ１及び第２判別画像データＤ２を作成する。なお、第１判別画像データＤ１及び第２判別画像データＤ２を適切なサイズや階調で表示部２８に表示させるため、適切な画像拡縮処理、色変換処理等の各種画像処理を施してもよい。
【００９６】
続いて、画像データの相違箇所を強調した判別画像の表示態様について、図７〜図９を参照しながら説明する。
【００９７】
表示制御部４４は、作業者による検版開始の要求操作に応じて、図７に示す表示画面１２０を表示部２８に表示させる。
【００９８】
表示画面１２０は、ツールバー１２２と、第１表示領域１２４と、第２表示領域１２６と、上下方向に移動が自在である２つのスクロールバー１２８、１３０と、左右方向に移動が自在である２つのスクロールバー１３２、１３４とを備える。
【００９９】
ツールバー１２２は、表示画面１２０の上方部に左右方向に延在して設けられている。ツールバー１２２は、多数のアイコン（詳細は後述する。）を備えている。
【０１００】
表示画面１２０の左側にある第１表示領域１２４には、第１判別画像データＤ１の一部を表す第１判別画像１３６が表示されている。第１判別画像１３６として、白地からなる背景部１３８と、多数の文字（図７例ではアルファベット）からなる文字部１４０と、該文字部１４０の一部に重畳された矩形状の第１着色領域１４２、１４４とが併せて表示されている。ハッチングで示した第１着色領域１４２、１４４は、背景部１３８や文字部１４０の表示色とは異なる所定の色（第１色）で着色されている。第１着色領域１４２の表示色と、その内部の文字「ｂ」の表示色は、視認可能な程度のコントラストを有している。同様に、第１着色領域１４４の表示色と、その内部の文字「ｏ」の表示色は、視認可能な程度のコントラストを有している。
【０１０１】
一方、表示画面１２０の右側にある第２表示領域１２６には、第１画像データＣ１の一部を表す第１画像１４６（あるいは、第２画像データＣ２の一部を表す第２画像１４７）が表示されている。第１画像１４６として、白地からなる背景部１４８と、多数の文字（図７例ではアルファベット）からなる文字部１５０とが併せて表示されている。
【０１０２】
ここで、第１表示領域１２４と、第２表示領域１２６とは、同じ表示領域のサイズを有する。そして、第１判別画像１３６及び第１画像１４６は、同一の画像領域の一部分がそれぞれ表示されている。
【０１０３】
表示制御部４４は、図７の表示画面１２０の表示制御を開始してから、所定時間を経過した後、図８の表示画面１２０ａへの表示に切り替える。表示画面１２０ａは表示画面１２０とほぼ同様の構成であるので、詳細な説明を省略し、相違する点のみを説明する。
【０１０４】
図８の第１表示領域１２４には、第２判別画像データＤ２の一部を表す第２判別画像１５２が表示されている。第２判別画像１５２として、白地からなる背景部１５４と、多数の文字からなる文字部１５６と、該文字部１５６の一部に重畳された矩形状の第２着色領域１５８、１６０とが併せて表示されている。ダブルハッチングで示した第２着色領域１５８、１６０は、背景部１５４、文字部１５６及び第１着色領域１４２、１４４（図７参照）の表示色とは異なる色（第２色）で着色されている。第２着色領域１５８の表示色と、その内部の文字「ｄ」の表示色は、視認可能な程度のコントラストを有している。同様に、第２着色領域１６０の表示色と、その内部の文字「ａ」の表示色は、視認可能な程度のコントラストを有している。
【０１０５】
そして、表示制御部４４は、図８の表示画面１２０ａの表示制御を開始してから、所定時間を経過した後、図７の表示画面１２０への表示に切り替える。このように、表示制御部４４は、同一の表示領域である第１表示領域１２４内に所定の時間間隔で第１判別画像１３６（図７参照）と第２判別画像１５２（図８参照）とを交互に表示させる。
【０１０６】
このように構成することで、第１画像データＣ１（第１画像１３６）及び第２画像データＣ２（第２画像１５２）の第１の相違箇所である「ｂ」及び「ｄ」、並びに第２の相違箇所である「ａ」及び「ｏ」を異なる色（第１色及び第２色）でそれぞれ着色してあおり表示することで、相違箇所を強調して可視化できる。
【０１０７】
スクロールバー１２８は、マウス３４によるドラッグ操作を受けて、図７に示す第１表示領域１２４内に表示された第１判別画像１３６（又は第２判別画像１５２）を上下方向にスライド表示させることが可能である。
【０１０８】
図９に示すように、ポインタ１６２がスクロールバー１２８の配設位置を指示する状態下、マウス３４によるドラッグ操作に応じて、第１判別画像１３６が上下方向にスライド表示される。図９に示すスクロールバー１２８ｂの位置では、図７に示す第１判別画像１３６に対し、下方向に移動された第１判別画像１３６ｂが表示されている。すなわち、第１判別画像１３６（図７参照）の構成要素である背景部１３８、文字部１４０、第１着色領域１４２、１４４が、下方向に移動された背景部１３８ｂ、文字部１４０ｂ、第１着色領域１４２ｂとして表示されている。なお、第１着色領域１４４ｂは、第１表示領域１２４の範囲外（上方）の位置に存在するので、図９では表示されていない。
【０１０９】
同様に、スクロールバー１３２は、マウス３４によるドラッグ操作を受けて、図７に示す第１表示領域１２４内に表示された第１判別画像１３６（又は第２判別画像１５２）を左右方向にスライド表示させることが可能である。
【０１１０】
本実施の形態では、スクロールバー１２８、１３２のスライド操作に連動して、図７に示す第１表示領域１２４内に表示された第１判別画像１３６と、第２表示領域１２６内に表示された第１画像１４６（又は第２画像１４７）とを同時に同一の移動量だけスライド表示させる構成を採っている。また、スクロールバー１３０、１３４のスライド操作に連動して、前記第１判別画像１３６と、前記第１画像１４６（又は前記第２画像１４７）とを同時にスライド表示させる構成を採っている。
【０１１１】
このように、第１表示領域１２４であおり表示された画像（第１判別画像１３６及び第２判別画像１５２）と、第２表示領域１２６で表示された画像（第１画像１４６又は第２画像１４７のいずれか一方の画像）とを連動してスライドさせることで、両画像の観察位置を常に一致させることができる。これにより、作業者は、一方の画面（第１表示領域１２４）上で相違箇所の存在を確認しながら、他方の画面（第２表示領域１２６）上で修整作業の確認をすることができる。
【０１１２】
なお、第２表示領域１２６内に第１画像１４６が表示されている場合には、第１色のカラーパッチを併せて表示してもよく、あるいは第１画像１４６に重畳して表示してもよい。同様に、第２表示領域１２６内に第２画像１４７が表示されている場合には、第２色のカラーパッチを併せて表示してもよく、あるいは第２画像１４７に重畳して表示してもよい。このようにすれば、作業者は、第２表示領域１２６に現在表示されている画像の種別を容易に識別できる。
【０１１３】
次いで、図３に戻って、作業者は、修整が完了したか否かを判断する（ステップＳ９）。すべて修整が完了していない場合は、ステップＳ６に戻り、ステップＳ６〜Ｓ９の作業を繰り返す。
【０１１４】
一方、ステップＳ３にて発見した修整作業がすべて完了した場合は、ステップＳ３に戻って、校正印刷を再度行う（ステップＳ３）。校正機２２による印刷では、ステップＳ７で記憶された新たな編集データファイルを用いる。以下、作業者は、編集データの修整箇所がなくなるまでステップＳ３〜Ｓ９を繰り返す。そして、校正作業が終了すると、製版データファイルのデータ内容が確定する。
【０１１５】
次いで、作業者は、製版データファイルをデータベースサーバ１６にアップロードする（ステップＳ１０）。制御部４２は、メモリ５２に記憶した最新の編集データファイルをＩ／Ｆ３６、ＬＡＮ１８を介して、データベースサーバ１６側に送信する。
【０１１６】
最後に、作業者は、印刷工程を行う（ステップＳ１１）。印刷サイト１４は、データベースサーバ１６が保持する製版データファイルをダウンロードする。その後、画像処理装置により所望の画像処理がなされ、プレートセッタにより刷版が作成され、オフセット印刷機によりカラー画像が印刷される。あるいは、刷版を作成することなく、デジタル印刷機を用いて直接印刷してもよい。
【０１１７】
以上のようにして、入稿から印刷までの印刷フローの全工程が終了する。
【０１１８】
ところで、画像処理装置２０を用いた検版支援表示の更なる機能について、図１０〜図１３を参照しながら説明する。図７〜図９に示すツールバー１２２上の各アイコンを用いて、種々の態様の画像表示をすることができる。
【０１１９】
なお、以下に示す各種表示設定の変更に伴い、各種画像データを再度処理した上で、表示制御部４４に更新して表示させることは言うまでもない。例えば、判別画像データ作成部６４は、図５のフローチャートに従って、第１判別画像データＤ１又は第２判別画像データＤ２を再度作成する場合がある。あるいは、表示制御部４４は、第１画像データＣ１、第２画像データＣ２、第１判別画像データＤ１又は第２判別画像データＤ２の切り取り範囲を変更する場合がある。あるいは、ＲＩＰ・拡縮処理部４０は、第１画像データＣ１、第２画像データＣ２、第１判別画像データＤ１又は第２判別画像データＤ２に対して画像拡縮処理を再度行う場合がある。
【０１２０】
表示調整部８２は、マウス３４の所定の操作に従って、表示の各種調整量を本体２６側に入力する。これにより、設定画面１００（図４参照）での表示態様を種々調整することができる。以下説明する。
【０１２１】
図７に示す調整バー２００は、バーの指示位置を上下移動することで、ブロックＢＫのサイズＳｈ、Ｓｖ（図６参照）の微調整が可能なアイコンである。例えば、調整バー２００の中央位置は、テキストボックス１０２、１０４（図４参照）で入力したサイズＳｈ、Ｓｖに対応し、指示位置を上方へスライドするとサイズＳｈ、Ｓｖが大きくなり、指示位置を下方へスライドするとサイズＳｈ、Ｓｖが小さくなるように設定される。
【０１２２】
色選択メニュー２０２は、図示しないカラーパレットから１つの色を選択することで、第１着色領域１４２、１４４（図７参照）の表示色である第１色の変更が可能なアイコンである。例えば、色選択メニュー１０６（図４参照）で入力した色が初期状態として予め設定されている。ステップＳ８の検版作業中であっても、色選択メニュー２０２を用いて第１色の変更が自在である。
【０１２３】
色選択メニュー２０４は、図示しないカラーパレットから１つの色を選択することで、第２着色領域１５８、１６０（図８参照）の表示色である第２色が変更可能なアイコンである。例えば、色選択メニュー１０８（図４参照）で入力した色が初期状態として予め設定されている。ステップＳ８の検版作業中であっても、色選択メニュー２０２を用いて第２色の変更が自在である。
【０１２４】
調整バー２０６は、バーの指示位置を上下移動することで、あおり周期の微調整が可能なアイコンである。例えば、調整バー２０６の中央位置は、テキストボックス１１０（図４参照）で入力したあおり表示の時間間隔に対応し、指示位置を上方へスライドすると時間間隔が長くなり、指示位置を下方へスライドすると時間間隔が短くなるように設定される。
【０１２５】
アイコン２０８は、マウス３４によるクリック操作を受けて、図７等に示す第１表示領域１２４内に表示された第１判別画像１３６と、第２表示領域１２６内に表示された第１画像１４６（又は第２画像１４７）とを同時に拡大表示させることが可能なアイコンである。
【０１２６】
図１０に示すように、ポインタ１６２がアイコン２０８の配設位置を指示する状態下、マウス３４によるクリック操作に応じて、２倍の画像倍率で拡大された第１判別画像１３６ｃと、第１画像１４６ｃ（又は第２画像１４７ｃ）がそれぞれ表示される。すなわち、第１判別画像１３６（図７参照）の構成要素である背景部１３８、文字部１４０、第１着色領域１４２、１４４が、２倍の画像倍率で拡大された背景部１３８ｃ、文字部１４０ｃ、第１着色領域１４２ｃとして表示されている。なお、第１着色領域１４４ｃは、第１表示領域１２４の範囲外の位置に存在するので、図１０では表示されていない。
【０１２７】
同様に、第１画像１４６（図７参照）の構成要素である背景部１４８、文字部１５０が、２倍の画像倍率で拡大された背景部１４８ｃ、文字部１５０ｃとして表示されている。
【０１２８】
一方、ポインタ１６２がアイコン２１０の配設位置を指示する状態下、マウス３４によるクリック操作に応じて、例えば０．５倍の画像倍率で縮小された第１判別画像１３６ｃと、第１画像１４６ｃ（又は第２画像１４７ｃ）がそれぞれ表示される。なお、作業効率等を勘案して、１回のクリック操作当たりの表示倍率の変化量（増減量）を予め定めておくことができる。
【０１２９】
このようにして、各画像の表示倍率を自在に変更することにより、検版作業の効率を向上できる。具体的には、表示倍率を小さくした状態で、第１判別画像１３６等の画像の全体を表示することにより、修整位置を容易に把握することができる。そして、位置を把握した上で、第１判別画像１３６ｃの第１着色領域１４２ｃを拡大表示することにより、修整内容を容易に確認することができる。
【０１３０】
さらに、第１表示領域１２４及び第２表示領域１２６に表示された各画像を連動して拡縮表示することで、作業者は、両者の画像を照合しながら修整内容を確認できるため、一層効率的である。
【０１３１】
図７に戻って、アイコン２１２は、マウス３４によるクリック操作を受けて、第１表示領域１２４内に表示された第１着色領域１４２、１４４（又は第２着色１５８、１６０）の位置を上下方向や左右方向にシフトさせることが可能なアイコンである。アイコン２１２は、上方向を指示するアイコン２１２Ｕと、下方向を指示するアイコン２１２Ｄと、右方向を指示するアイコン２１２Ｒと、左方向を指示するアイコン２１２Ｌとから構成される。
【０１３２】
ポインタ１６２がアイコン２１２の配設位置を指示する状態下、マウス３４によるクリック操作に応じて、画像データ領域Ｒ１、Ｒ２とブロックＢＫの配設位置との関係を自在に変更することができる。
【０１３３】
例えば、図６に示す位置関係が初期状態であるとする。アイコン２１２Ｕ（又はアイコン２１２Ｄ）のクリック操作の都度、ブロックシフト量決定部７２は、所定の画素数だけ各ブロックＢＫの位置を上方向（又は下方向）にシフトする。その結果、図１１Ａに示すように、各ブロックＢＫの位置が２画素分だけ上方向（又は下方向）にシフトしたとする。
【０１３４】
さらに、図１１Ａに示す状態からアイコン２１２Ｒ（又はアイコン２１２Ｌ）のクリック操作の都度、ブロックシフト量決定部７２は、所定の画素数だけ各ブロックＢＫの位置を右方向（又は左方向）にシフトする。その結果、図１１Ｂに示すように、各ブロックＢＫの位置が２画素分だけ右方向（又は左方向）にシフトしたとする。
【０１３５】
このブロックＢＫのシフト処理で得られる作用効果について説明する。図１２Ａ〜図１２Ｃは、図７に示す第１判別画像１３６のうち文字部１４０の一部（第１着色領域１４２の周辺）を拡大した概略説明図である。
【０１３６】
図１２Ａは、文字部１４０の初期状態であるとする。「ｂ」からなる相違部１６４の画像領域内にブロックＢＫの格子点が存在する場合、その格子点を頂点とする４つのブロックＢＫの範囲内に一致しないデータが存在することになる。よって、第１着色領域１６６は、４個のブロックＢＫにわたって着色される。この場合、第３〜５行（ｃ〜ｅの行）のいずれも着色されるので、作業者は相違部１６４の位置を一見して把握できず、修整内容の特定に時間を要する。
【０１３７】
そこで、作業者によるアイコン２１２Ｕ（又はアイコン２１２Ｄ）のクリック操作で、図１１ＡのようにブロックＢＫを上下方向に所定量だけシフトし、相違部１６４と重なるブロックＢＫの個数が２個である位置関係下に設定する。このとき、第１着色領域１６８は、２個（１行分）のブロックＢＫにわたって着色される。これにより、第４行（ｄの行）に相違部１６４が存在することが一目瞭然であり、修整内容の特定時間が短縮される。
【０１３８】
さらに、作業者によるアイコン２１２Ｒ（又はアイコン２１２Ｌ）のクリック操作で、図１１ＢのようにブロックＢＫを左右方向に所定量だけシフトし、相違部１６４と重なるブロックＢＫの個数が１個である位置関係下に設定する。このとき、第１着色領域１７０は、１個のブロックＢＫにわたって着色される。これにより、第４行第３列に相違部１６４が存在することが一目瞭然であり、修整内容の特定時間がさらに短縮される。
【０１３９】
このように、アイコン２１２を用いて、ブロックＢＫの位置を微調整することで、検版の作業効率を大幅に向上できる。特に、文字情報が規則的に配列されている文字部１４０を有する画像データを検査する場合は有効である。
【０１４０】
なお、ブロックシフト量決定部７２は、文字部１４０の特徴、例えば、文字の間隔（隣接する文字の間隔、行間隔）又は文字の配列方向（縦書き、横書き）を自動又は手動で取得し、ブロックＢＫのシフト量を自動的に決定するように構成してもよい。
【０１４１】
また、ブロックサイズ決定部７０は、文字部１４０の特徴、例えば、文字のサイズ情報（フォントサイズ）を自動又は手動で取得し、ブロックＢＫのサイズＳｈ、Ｓｖを自動的に決定するように構成してもよい。この場合は、解像度取得部５６から取得した解像度も併せて参照すると好ましい。
【０１４２】
ところで、注釈情報付与部８４は、図示しないツールボックスやマウス３４の所定の操作に従って、注釈情報やその位置情報等を本体２６側に入力する。これにより、表示された各画像に対して種々の注釈情報を付与できる。すなわち、注釈情報付与部８４及びアノテーション処理部６８により、アノテーション機能を実現できる。以下、その機能と作用効果を中心に説明する。
【０１４３】
例えば、作業者は、図７及び図８で説明した第１表示領域１２４内でのあおり表示と、第２表示領域内での第１画像１４６の固定表示とを照合することで、第１誤記（「ｄ」でなく「ｂ」と記載されている。）と、第２誤記（「ａ」でなく「ｏ」と記載されている。）に対する修整は完了しているものの、第３誤記（「ｆ」の一文字分がブランクに置き換わっている。）に対する修整を忘れていたことを把握したとする。
【０１４４】
図１３に示すように、作業者は、表示画面１２０ｄ右側の第２表示領域１２６に対し、第１着色領域１４２に対応する箇所に注釈欄１７２（注釈情報）を付与するとともに、第１着色領域１４４に対応する箇所に注釈欄１７４（注釈情報）を付与する。また、作業者は、第２表示領域に対し、ブランクの箇所（未修整の箇所）に対応する箇所に注釈欄１７６（注釈情報）を付与する。
【０１４５】
これにより、修整された編集データ（すなわち、第２画像データＣ２）について、各修整箇所の内容が正しく反映されているか否かを表す注釈情報を残すことができる。そして、注釈情報を付した編集データ（例えば、第１画像データＣ１）を画像処理装置２０（あるいは別の端末装置）の表示部２８に表示させることで、検版の作業者や第三者がその注釈情報の内容を確認できる。
【０１４６】
以上のように、第１画像１４６又は第２画像１４７を印刷する際の解像度を取得し、取得された前記解像度に応じてブロックＢＫのサイズＳｈ、Ｓｖを決定し、決定されたサイズＳｈ、Ｓｖを有する複数のブロックＢＫにより各画像データ領域Ｒ１、Ｒ２を格子状に区画し、区画されたブロックＢＫ毎に第１画像データＣ１及び第２画像データＣ２の一致性を判別し、データが一致しないと判別されたブロックＢＫ毎に第１画像１４６又は第２画像１４７を着色して得られる第１判別画像１３６又は第２判別画像１５２の少なくとも一方の画像を含む判別画像を表示するようにしたので、データの一致性を判別する実際の画像上のサイズを適切に設定可能であるとともに、文字部１４０の相違箇所が文字の配列に沿って適切に強調される。これにより、規則的に配置された多数の文字情報を含む編集データを検版する場合であっても、相違箇所を容易に識別可能であり、検版作業の効率を向上することができる。
【０１４７】
なお、この発明は、上述した実施形態に限定されるものではなく、この発明の主旨を逸脱しない範囲で自由に変更できることは勿論である。
【０１４８】
各画像データ領域Ｒ１、Ｒ２を格子状に区画する際、ブロックＢＫの配列角度を種々変更してもよい。本実施の形態で説示した０度（図６参照）に限らず、例えば、３０度、４５度その他の角度にしてもよい。
【符号の説明】
【０１４９】
１０…印刷システム                        １２…製版サイト
１４…印刷サイト                          １８…ＬＡＮ
２０…画像処理装置                        ２２…校正機
２４…校正刷り                            ２６…本体
２８…表示部                              ３０…入力部
３８…入稿データ編集部                    ４０…ＲＩＰ・拡縮処理部
４２…制御部                              ４４…表示制御部
４８…印刷制御部                          ５２…メモリ
５４…検版処理部                          ５６…解像度取得部
５８…領域区画部                          ６０…画像比較部
６２…画像一致性判別部                    ６４…判別画像データ作成部
６６…表示色決定部                        ６８…アノテーション処理部
７０…ブロックサイズ決定部                ７２…ブロックシフト量決定部
７４…一致表示色決定部                    ７６…不一致表示色決定部
８０…表示設定値入力部                    ８２…表示調整部
８４…注釈情報付与部                      １００…設定画面
１０２、１０４、１１０…テキストボックス
１０６、１０８、２０２、２０４…色選択メニュー
１１２…プルダウンメニュー                １１４、１１６…ボタン
１２０、１２０ａ〜１２０ｄ…表示画面      １２２…ツールバー
１２４…第１表示領域                      １２６…第２表示領域
１２８（ｃ）、１３０（ｃ）、１３２（ｃ）、１３４（ｃ）…スクロールバー
１３６、１３６ｂ、１３６ｃ…第１判別画面
１３８、１３８ｂ、１３８ｃ、１４８、１４８ｃ、１５４…背景部
１４０、１４０ｂ、１４０ｃ、１５０、１５０ｃ、１５６…文字部
１４２、１４２ｂ、１４２ｃ、１４４、１６６、１６８、１７０…第１着色領域
１４６、１４６ｃ…第１画像                １４７、１４７ｃ…第２画像
１５２…第２判別画像                      １５８、１６０…第２着色領域
１６２…ポインタ                          １６４…相違部
１７２、１７４、１７６…注釈欄            ２００、２０６…調整バー
２０８、２１０、２１２、２１２Ｄ、２１２Ｌ、２１２Ｒ、２１２Ｕ…アイコン
ＢＫ、ＢＫ（１）〜ＢＫ（Ｍ・Ｎ）…ブロック
Ｃ１…第１画像データ                      Ｃ２…第２画像データ
Ｄ１…第１判別画像データ                  Ｄ２…第２判別画像データ
Ｒ１〜Ｒ４…画像データ領域
【図１】
2011242936.tif 000003
【図２】
2011242936.tif 000004
【図３】
2011242936.tif 000005
【図４】
2011242936.tif 000006
【図５】
2011242936.tif 000007
【図６】
2011242936.tif 000008
【図７】
2011242936.tif 000009
【図８】
2011242936.tif 000010
【図９】
2011242936.tif 000011
【図１０】
2011242936.tif 000012
【図１１】
2011242936.tif 000013
【図１２】
2011242936.tif 000014
【図１３】
2011242936.tif 000015